(57)【要約】【課題】  ２次元バーコードとカメラ付携帯電話を利用して、容易に設定条件を設定又は修正することができる印刷装置及び条件設定方法を提供することを目的とする。【解決手段】  印刷装置（１００）から設定条件に対応する２次元バーコード（１０）を印刷し、撮像部（２３６）によって２次元バーコードを取込み、２次元バーコードから解析した設定条件を表示部（２１６）に表示し、入力部（２１８）を利用して修正された設定条件を送信部（２３０）から送信し、受信部（１３０）によって受信された修正された設定条件に応じて印刷装置を設定するステップを有することを特徴とする条件設定方法、及びそのような設定方法に用いる印刷装置。【選択図】      図１
2006327017.tif 000002
【特許請求の範囲】
【請求項１】
入力部、表示部、送信部及び撮像部を有する携帯電話を利用した、受信部を有する印刷装置における条件設定方法において、
前記印刷装置から設定条件に対応する２次元バーコードを印刷し、
前記撮像部によって前記２次元バーコードを取込み、
前記２次元バーコードから解析した前記設定条件を前記表示部に表示し、
前記入力部を利用して修正された設定条件を前記送信部から送信し、
前記受信部によって受信された前記修正された設定条件に応じて前記印刷装置を設定する、
ステップを有することを特徴とする条件設定方法。
【請求項２】
前記設定条件は、前記印刷装置にその時点において設定されている条件である、請求項１に記載の印刷条件設定方法。
【請求項３】
前記設定条件は、前記印刷装置に初期設定されている条件である、請求項１に記載の印刷条件設定方法。
【請求項４】
入力部、表示部、送信部及び撮像部を有する携帯電話を利用した、受信部を有する印刷装置における条件設定方法において、
前記印刷装置は、設定条件に対応する２次元バーコードを有し、
前記撮像部によって前記２次元バーコードを取込み、
前記２次元バーコードから解析した前記設定条件を前記表示部に表示し、
前記入力部を利用して修正された設定条件を前記送信部から送信し、
前記受信部によって受信された前記修正された設定条件に応じて、前記印刷装置を設定する、
ステップを有することを特徴とする条件設定方法。
【請求項５】
前記２次元バーコードは、ＱＲコードである、請求項１〜４の何れか一項に記載の条件設定方法。
【請求項６】
前記設定条件は、印刷条件、内部システム条件、インターフェース条件の少なくとも１つである、請求項１〜５の何れか一項に記載の条件設定方法。
【請求項７】
印刷装置において、
前記印刷装置に設定されている設定条件を記憶する記憶部と、
前記設定条件に対応した２次元バーコードを印刷するための印刷部と、
を有することを特徴とする印刷装置。
【請求項８】
修正された設定条件を受信するための受信部と、
前記修正された設定条件に応じて前記印刷装置を設定する条件設定部と、をさらに有する請求項７に記載の印刷装置。
【請求項９】
前記設定条件は、前記印刷装置にその時点において設定されている条件である、請求項７又は８に記載の印刷装置。
【請求項１０】
前記設定条件は、前記印刷装置に初期設定されている条件である、請求項７又は８に記載の印刷装置。
【請求項１１】
送信部及び撮像部を有する携帯電話を用いて設定条件を修正可能な印刷装置において、
前記印刷装置に設定されている設定条件を記憶する記憶部と、
前記撮像部によって読み取るために、前記設定条件に対応した２次元バーコードを印刷するための印刷部と、
前記撮像部によって取込んだ前記２次元バーコードに基づいて前記携帯電話で修正され、前記送信部から送信された修正された設定条件を受信するための受信部と、
前記修正された設定条件に応じて前記印刷装置を設定する条件設定部と、
を有することを特徴とする印刷装置。
【請求項１２】
印刷装置において、
前記印刷装置に設定されている設定条件に対応した２次元バーコードと、
修正された設定条件を受信するための受信部と、
前記修正された設定条件に応じて前記印刷装置を設定する条件設定部と、
を有することを特徴とする印刷装置。
【請求項１３】
送信部及び撮像部を有する携帯電話を用いて設定条件を修正可能な印刷装置において、
前記撮像部によって読み取るためであって、前記印刷装置に設定されている設定条件に対応した２次元バーコードと、
前記撮像部によって取込んだ前記２次元バーコードに基づいて前記携帯電話で修正され、前記送信部から送信された修正された設定条件を受信するための受信部と、
前記修正された設定条件に応じて前記印刷装置を設定する条件設定部と、
を有することを特徴とする印刷装置。
【請求項１４】
前記２次元バーコードは、ＱＲコードである、請求項７〜１３の何れか一項に記載の印刷装置。
【請求項１５】
前記設定条件は、印刷条件、内部システム条件、インターフェース条件の少なくとも１つである、請求項７〜１３の何れか一項に記載の印刷装置。
【発明の詳細な説明】
【技術分野】
【０００１】
本発明は、設定条件を容易に設定することができる印刷装置及びそのような印刷装置における条件設定方法に関する。
【背景技術】
【０００２】
印刷パラメータに応じたバーコードを記入したバーコードシートを予め用意しておき、ユーザがプリンタの環境設定を行う場合に、バーコードシートに記入されたバーコードをバーコードリーダで読み取ってプリンタの環境設定を行うプリンタの印刷パラメータの設定装置が知られている（例えば、特許文献１参照）。
【０００３】
また、携帯電話から無線で送信された、印刷に係る条件を含む設定データを受信すると、その受信した設定データに従って印刷に係る条件を設定することができるプリンタが知られている（例えば、特許文献２参照）。
【０００４】
【特許文献１】実開平５−３５３２２号公報（第１図）
【特許文献２】特開２００５−２０１０１号公報（第１図）
【発明の開示】
【発明が解決しようとする課題】
【０００５】
しかしながら、バーコードを利用して印刷パラメータを入力するためには高価なバーコードリーダ必要であり、プリンタの付属品としてバーコードリーダを用意すると、プリンタのコストがアップしてしまうという問題があった。
【０００６】
また、携帯電話からプリンタの設定データを送信するとしても、どのように設定データの修正や設定を行うのかについての具体的な方法は提案されていなかった。
【０００７】
そこで本発明は、２次元バーコードとカメラ付携帯電話を利用して、容易に設定条件を設定又は修正することができる印刷装置及び条件設定方法を提供することを目的とする。
【課題を解決するための手段】
【０００８】
上記の目的を達成するために、本発明に係る印刷装置における条件設定方法は、印刷装置から設定条件に対応する２次元バーコードを印刷し、撮像部によって２次元バーコードを取込み、２次元バーコードから解析した設定条件を表示部に表示し、入力部を利用して修正された設定条件を送信部から送信し、受信部によって受信された修正された設定条件に応じて印刷装置を設定するステップを有することを特徴とする。
【０００９】
また、本発明に係る印刷装置における条件設定方法では、設定条件は、印刷装置にその時点において設定されている条件であることが好ましい。直前の設定条件を利用して修正を行えるようにしたものである。
【００１０】
また、本発明に係る印刷装置における条件設定方法では、設定条件は、印刷装置に初期設定されている条件であることが好ましい。数々の修正がなされたとしても、初期設定を利用して修正を行えるようにしたものである。
【００１１】
上記の目的を達成するために、本発明に係る印刷装置における条件設定方法は、印刷装置が設定条件に対応する２次元バーコードを有し、撮像部によって２次元バーコードを取込み、２次元バーコードから解析した設定条件を前記表示部に表示し、入力部を利用して修正された設定条件を前記送信部から送信し、受信部によって受信された修正された設定条件に応じて印刷装置を設定するステップを有することを特徴とする。予め、初期設定時の設定条件等に応じた２次元バーコードを印刷して印刷装置に添付しておき、それを利用して容易に条件設定を行えるように構成した。
【００１２】
また、本発明に係る印刷装置における条件設定方法では、２次元バーコードは、ＱＲコードであることが好ましく、設定条件は、印刷条件、内部システム条件、インターフェース条件の少なくとも１つであることが好ましい。
【００１３】
上記の目的を達成するために、本発明に係る印刷装置は、印刷装置に設定されている設定条件を記憶する記憶部と、設定条件に対応した２次元バーコードを印刷するための印刷部とを有することを特徴とする。
【００１４】
また、上記の目的を達成するために、本発明に係る印刷装置は、印刷装置に設定されている設定条件に対応した２次元バーコードと、撮像部によって取込んだ２次元バーコードに基づいて携帯電話で修正され且つ送信部から送信された修正された設定条件を受信するための受信部と、修正された設定条件に応じて印刷装置を設定する条件設定部とを有することを特徴とする。
【発明の効果】
【００１５】
本発明によれば、高価なバーコードリーダを用いることなく、一般に普及しているバーコード読み取り機能を有する携帯電話を用いて、印刷条件を設定することができるので、印刷装置のコストアップを防止することが可能となった。
【００１６】
また、本発明によれば、一般に普及している表示部及び入力部を有する携帯電話を用いて、印刷条件を設定することができるので、容易に印刷条件を設定することが可能となった。
【発明を実施するための最良の形態】
【００１７】
以下、本発明に係る印刷装置及び印刷条件の設定方法について、添付図面を参照して詳述する。
【００１８】
図１は、本発明を実施するためにシステムの概略を示すブロック構成図である。
【００１９】
システムは、印刷装置１００と携帯電話２００とから構成される。
【００２０】
印刷装置１００は、ＣＰＵ、ＲＯＭ及びＲＡＭ等を有する制御部１１０、ＵＳＢコネクタ等を含むＩ／Ｏ１１２、フラッシュメモリ等から構成される記憶部１１４、表示ランプ１１６、操作ボタン１１８、バス１２０、赤外線インターフェース（ＩｒＤＡ方式）による受信部１３０、受信データ処理部１３２、印刷データ処理部１３４、印刷部１３６、及び印刷装置１００の各要素に電力を供給するための電源部１４０等を有している。また、印刷装置１００の内部には、Ｂｌｕｅｔｏｏｔｈ受信部（図示せず）を有する。
【００２１】
印刷装置１００の印刷部１３６は、印刷データに応じてサーマルヘッドにより各種感熱ロール又は感熱紙等に印字を行い、装置外への排出を行う。
【００２２】
携帯電話２００は、一般に普及しているカメラ付携帯電話であって、ＣＰＵ、ＲＯＭ及びＲＡＭ等を有する制御部２１０、各種メモリ等から構成される記憶部２１４、液晶ディスプレイ等から構成される表示部２１６、テンキーや各種操作を行うための操作ボタンから構成される入力部２１８、バス２２０、携帯電話用通信網と接続を行うための通信部２２２、赤外線インターフェース（ＩｒＤＡ方式）による送信部２３０、撮像データ処理部２３２、撮像部２３６、及び携帯電話２００の各要素に電力を供給するための電源部２４０等を有している。
【００２３】
本システムでは、印刷装置１００からその時点の印刷装置の印刷条件の設定データを含んだ２次元バーコード１０を印刷し、携帯電話２００で印刷された２次元バーコード１０を取込み、携帯電話２００において印刷条件の設定を修正し、携帯電話２００から修正された印刷条件の設定データを印刷装置１００に送信し、印刷装置１００において受信した印刷条件の設定データに応じて印刷条件を設定する。
【００２４】
図２は、印刷装置１００の外観を示す斜視図である。
【００２５】
図２は、印刷装置１００で感熱ロール紙１に２次元バーコード１０を印刷し、排出した時点を示している。図２に示すように、印刷装置１００には、ＵＳＢコネクタを含むＩ／Ｏ１１２、３つのＬＥＤから構成され、印刷装置１００の状態を示す表示ランプ１１６、主に感熱ロール紙１をフィードさせるための第１のボタン及び所定の入力を行うための第２のボタンを含む操作ボタン１１８、赤外線受信部を含む受信部１３０が配置されている。
【００２６】
図３は、印刷条件の設定方法のフローを示すフロー図である。
【００２７】
図３に示すフローは、印刷装置１００側では、制御部１１０等に予め記憶されているプログラムにしたがって、主に制御部１００が印刷装置１００の各種要素を制御することによって実行される。また、図３に示すフローは、携帯電話２００側では、制御部２１０等に予め記憶されているプログラム及び／又は予め携帯電話にダウンロードされた専用のアプリケーションにしたがって、主に制御部２００が携帯電話２００の各種要素を制御することによって実行される。
【００２８】
最初に、ユーザによる所定の操作（例えば、第１及び第２の操作ボタン１１８を同時に数秒間押圧する操作）によって、印刷装置１００をバーコード印刷モードに移行させる（Ｓ３０１）。印刷装置１００は、バーコード印刷モードに移行すると、現在の印刷条件の設定データを含んだ２次元バーコードの印刷データを作成し、２次元バーコードを印刷する（Ｓ３０２）（図２参照）。
【００２９】
また、ユーザによる所定の操作によって、携帯電話２００をバーコード読取モードに移行させる（Ｓ３１１）。撮像部２３６を２次元バーコード１０に合わせて撮影を行い、２次元バーコードの取込み（Ｓ３１２）、記憶部２１４に記憶する（Ｓ３１３）。
【００３０】
次に、ユーザによる所定の操作によって、事前にダウンロードした印刷条件設定用のアプリケーションを起動し（Ｓ３１５）、記憶した２次元バーコードを解析し（Ｓ３１６）、解析した設定データを表示部２１６に表示する（Ｓ３１６）。
【００３１】
図４は、表示されたその時点における印刷装置１００の設定データの一例を示す図である。
【００３２】
図４に示すように、印刷装置１００の現時点での印刷条件が、携帯電話２００の表示部２１６に表示される。図４に示す例では、印刷条件の設定データは、設定データであることを示す制御文字４０１、用紙設定４０２、印字濃度４０３、印字ピッチ４０４、文字コードセット４０５、国際文字４０６、テキスト４０７、ＱＲ分割モード４０８から構成される。なお、これらの設定データは一例であって、他の要件を追加等することが可能であり、携帯電話の表示部には適宜分割して複数画面に渡って表示させることもできる。
【００３３】
ユーザは図４に示すような現在の設定データを確認し、修正を行いデータにカーソルを移動してデータの修正を行う（Ｓ３１７）。なお、ユーザが予め定められた選択肢を表示して、表示された選択肢から選択できるように構成しても良い。例えば、用紙設定４０２では、「感熱紙」と「コピー紙」の何れか一方を選択することができるように表示させることもできる。
【００３４】
修正が終了したら、修正終了確認ボタン４１０をクリックして印刷設定の内容を記憶部２１４に記憶させ（Ｓ３１８）、送信ボタン４２０をクリックして印刷条件の設定データを印刷装置１００へ送信して（Ｓ３２０）、携帯電話側の操作が終了する。
【００３５】
印刷装置１００側では、印刷条件の設定データを受信し（Ｓ３０３）、設定データに応じた設定（後述する）を行い（Ｓ３０４）、一連の動作が終了する。
【００３６】
図５は、印刷装置１００側の設定動作を示すフロー図である。
【００３７】
図５のフローにおいては、印刷装置１００が受信するデータは、（１）印刷条件の設定データ、（２）新しいフォントデータ及び（３）印刷データの３種類のデータを想定し、各データは、受信データの先頭行を利用して区別を行う。なお、他の種類のデータを印刷装置１００が受信することができるようにしても良いし、受信データの先頭行のデータ以外のデータを用いて各種データの区別を行うようにしても良い。
【００３８】
図５に示すフローは、印刷装置１００の制御部１１０等に予め記憶されているプログラムにしたがって、主に制御部１００が印刷装置１００の各種要素を制御することによって実行される。
【００３９】
制御部１１０は、受信部１３０内の受信バッファ内にデータが存在するか否かを確認し、データが存在する場合には所定の処理を行ってデータの先頭の行のデータの確認を行う（Ｓ５０１）。
【００４０】
次に、先頭行のデータが、印刷条件の設定データを示す所定の制御文字（図４の４０１参照）であるか否かを判断し（Ｓ５０２）、予め定められた制御文字であると判断された場合には、印刷条件の設定データ（図４の４０１〜４０８）の解読を行い、登録するためのデータを作成する（Ｓ５０３）。
【００４１】
次に、記憶部１１４のフラッシュメモリの登録準備を行い（Ｓ５０４）、解読され且つ登録に作成された印刷条件の設定データの登録を開始する（Ｓ５０５）。登録が終了したか否かを判断し（Ｓ５０６）、登録が終了していればＳ５０１へ戻る。
【００４２】
また、Ｓ５０２で、先頭行のデータが印刷条件の設定データを示す所定の制御文字列（図４の４０１参照）でない場合には、Ｓ５０７で、先頭の行のデータが文字コードデータの入力に対応した制御文字列か否かを判断する。
【００４３】
Ｓ５０７で、先頭行のデータが先頭の行のデータが文字コードデータの入力に対応した制御文字列である場合には、受信したデータ中の文字コードを印刷装置１００内の管理コードに変換し（Ｓ５０８）、受信したデータ中の文字イメージデータを取得し（Ｓ５０９）、印刷出力バッファへ取得した文字イメージデータの展開を開始する（Ｓ５１０）。展開が終了したか否かを判断し（Ｓ５１１）、展開が終了していればＳ５０１へ戻る。このようなＳ５０７〜Ｓ５１１の動作によって、取得した新たな文字フォント等による印字が可能となる。
【００４４】
また、Ｓ５０７で、先頭行のデータが文字コードデータの入力に対応した制御文字列でないと判断された場合には、一般の印刷データ（例えば、Ｅメールの印刷データ）と判断し、印字データ処理部１３４において処理を行い（Ｓ５１２）、印字部１３６において印刷を開始する（Ｓ５１３）。印刷が終了したか否かを判断し（Ｓ５１４）、印刷が終了していればＳ５０１に戻る。
【００４５】
このようにして、印刷装置１００は、受信したデータに応じた処理を行う。
【００４６】
印刷装置１００は、図２に示すように、液晶ディスプレイや入力用のテンキーやキーボードを有しておらず、非常にシンプルで安価な構成となっている。したがって、従前では、このような印刷装置１００において印刷条件の設定を行う場合には、少ない操作ボタンと表示ランプを駆使して、複雑な印刷条件の設定をおこなわざるを得なかった。しかしながら、本発明に従えば、一般に普及している携帯電話２００の表示部及び入力部を利用することができるので、液晶ディスプレイや入力用のテンキーやキーボードを有していないシンプルな印刷装置においても、容易に印刷条件の設定を行うことが可能となった。
【００４７】
上記の実施形態においては、印刷装置１００の印刷条件の設定データを携帯電話を利用して修正できるように構成したが、他の設定データ、例えば印刷装置１００の内部システムの設定データや印刷装置１００のインターフェースの設定データ等についても同様な方法によって修正等を行えるようにすることができる。内部システムの設定データとしては、省電力時間設定、リンクオフの有効・無効設定、マーカ検出機能の有効・無効設定、返信制御の有効・無効設定等がある。また、インターフェースの設定データとしては、無線インターフェースの選択（赤外線インターフェースかＢｌｕｅｔｏｏｔｈインターフェースか）、ケーブル自動認識設定の有効・無効、ＩｒＣＺボーレートの設定、ＩｒＣＺストップビットの設定、Ｂｌｕｅｔｏｏｔｈ通信モードの設定等がある。
【００４８】
上記の実施形態においては、印刷装置１００の印刷条件の設定データを一括で修正できるように構成した（図４参照）。しかしながら、必要な条件のみ（例えは、用紙設定）に関する２次元バーコードを印刷装置１００が出力できるように設定し、必要な条件のみについて修正が行えるように構成することもできる。
【００４９】
上記の実施形態においては、印刷装置１００がその時点で設定されている印刷条件の設定データに応じた２次元バーコード１０を印刷したが、印刷装置１００が初期設定された印刷条件の設定データに応じた２次元バーコードを印刷するようにしても良い。また、その時点の設定データ及び初期設定の設定データのいずれを印刷するのかを選択できるように構成しても良い。
【００５０】
上記の実施形態においては、印刷装置１００がその時点で設定されている印刷条件の設定データに応じた２次元バーコード１０を印刷したが、印刷装置１００が初期設定された印刷条件の設定データに応じた２次元バーコードを予め用意して印刷装置１００に添付しておき、印刷条件の設定時にわざわざ印刷しなくて良いように構成しても良い。
【００５１】
上記の実施形態においては、印刷装置１００と携帯電話２００とは、赤外線インターフェースによって接続されるように設定されていたが、他の無線インターフェース、例えば、Ｂｌｕｅｔｏｏｔｈインターフェースによって接続されるように構成しても良い。
【００５２】
上記の実施形態では、２次元バーコードを利用したが、２次元バーコードとして、例えばＱＲコード（登録商標）を利用することができる。また、例えば縦と横の両方向に意味を持たせる等によって所定のデータを圧縮して印刷できる方式であれば、ＱＲコード以外の２次元バーコードを利用することもできる。
【図面の簡単な説明】
【００５３】
【図１】本発明を実施するためにシステムの概略を示すブロック構成図である。
【図２】印刷装置１００の外観を示す斜視図である。
【図３】印刷条件の設定方法のフローを示すフロー図である。
【図４】表示された印刷条件の設定データの一例を示す図である。
【図５】印刷装置１００側の設定動作を示すフロー図である。
【符号の説明】
【００５４】
１００    印刷装置
１１０    制御部
１３０    受信部
１３６    印刷部
２００    携帯電話
２１０    制御部
２１６    表示部
２１８    入力部
２３０    送信部
２３６    撮像部
【図１】
2006327017.tif 000003
【図２】
2006327017.tif 000004
【図３】
2006327017.tif 000005
【図４】
2006327017.tif 000006
【図５】
2006327017.tif 000007